(57)【特許請求の範囲】
【請求項１】
デスク本体に所定の配線方向に沿って配線を導く配線受けを配置するようにしたものにおいて、
前記配線方向に沿ってデスク本体に配線受け取付部を延在させ、対する配線受けに、一部を弾性変形させた際の反発力を押付力として前記配線受け取付部に嵌り合う嵌合部と、前記一部を前記弾性変形方向に変形させて前記押付力を解除する解除レバーとを設け、
前記配線受けを前記配線方向に沿って前記配線受け取付部に位置自在に取り付け可能にし、前記解除レバーで押付力を緩めた状態で、前記配線受け取付部に対する嵌合状態を維持したまま、前記配線方向に沿って前記配線受けをスライドさせる操作を行い得るようにするとともに、前記解除レバーで押付力を解除した状態で前記嵌合部を前記配線受け取付部から離脱させる操作を行い得るようにしたことを特徴とするデスク。
【請求項２】
デスク本体に所定の配線方向に沿って配線を導く配線受けを配置するようにしたものにおいて、
前記配線方向に沿ってデスク本体に配線受け取付部を延在させ、対する配線受けに、一部を弾性変形させた際の反発力を押付力として前記配線受け取付部に嵌り合う嵌合部と、前記一部を前記弾性変形方向に変形させて前記押付力を解除する解除レバーとを設け、
前記配線受けを前記配線方向に沿って前記配線受け取付部に位置自在に取り付け可能にするとともに、前記解除レバーで押付力を解除した状態で前記嵌合部を前記配線受け取付部から離脱させる操作を行い得るようにし、
このような解除レバーを、前記配線方向に沿って前記配線受けの２箇所に設けていることを特徴とするデスク。
【請求項３】
デスク本体に所定の配線方向に沿って配線を導く配線受けを配置するようにしたものにおいて、
前記配線方向に沿ってデスク本体に配線受け取付部を延在させ、対する配線受けに、一部を弾性変形させた際の反発力を押付力として前記配線受け取付部に嵌り合う嵌合部と、前記一部を前記弾性変形方向に変形させて前記押付力を解除する解除レバーとを設け、
前記配線受けを前記配線方向に沿って前記配線受け取付部に位置自在に取り付け可能にするとともに、前記解除レバーで押付力を解除した状態で前記嵌合部を前記配線受け取付部から離脱させる操作を行い得るようにし、
前記配線受けに、前記嵌合部が前記配線受け取付部に嵌合した状態で当該嵌合部を下支えし且つ一部を幕板の立壁に当接させるリブを設けていることを特徴とするデスク。
【請求項４】
デスク本体に所定の配線方向に沿って配線を導く配線受けを配置するようにしたものにおいて、
前記配線方向に沿ってデスク本体に配線受け取付部を延在させ、対する配線受けに、一部を弾性変形させた際の反発力を押付力として前記配線受け取付部の一部に下から上に向けて嵌り合う下向き凸状の嵌合部と、この下向き凸状の嵌合部の一部若しくは近傍から垂下し、前記一部を前記弾性変形方向に変形させて前記押付力を解除する解除レバーとを設け、
前記配線受けを前記配線方向に沿って前記配線受け取付部に位置自在に取り付け可能にするとともに、前記解除レバーで押付力を解除した状態で前記下向き凸状の嵌合部を前記配線受け取付部から離脱させる操作を行い得るようにしたことを特徴とするデスク。
【請求項５】
嵌合部が、配線方向と直交する方向に沿って配線受けを配線受け取付部に近づけた際に一時的に弾性変形し配線受け取付部に嵌り合った位置で復元する可動片と、この可動片の一部に設けられて嵌合部の嵌合位置で配線受け取付部内に設定した係止部に係合する爪とを有するものであり、この爪は前記嵌合部を配線受け取付部から引き抜く方向の力が作用した際に前記配線受け取付部の係止部により強く係合し、解除レバーを操作することによって前記可動片を通じて前記係止部から退避するように構成されている請求項１〜４の何れかに記載のデスク。
【請求項６】
配線受けを、天板の配線方向寸法の１／２よりも小さい長さ寸法のものにして、他の配線受けとの間で側端部同士が突き当たった拡張状態をとり得るようにしている請求項１〜５の何れかに記載のデスク。
【請求項７】
配線受けの少なくとも一側端部から配線支持面に対して段落ちした突片を配線方向に延出させて設け、この突片を、隣接する配線受けの配線支持面の下面に厚み方向に重合させるようにしている請求項６記載のデスク。
【請求項８】
配線受けの両側端部に突片を有し、それらの突片は配線方向と交差する方向に位置がずれており、一対の配線受けの隣接する側端部からそれぞれ相手方の配線受けに向かって突片が延出し、各々の突片が対応する配線受けの側端部近傍の下面に厚み方向に重合するようにしている請求項７記載のデスク。
【請求項９】
請求項１〜８の何れかに記載のデスクに使用するものであって、配線支持面の両側端部より当該配線支持面に対して段落ちした突片を配線方向に延出させて設け、それらの突片は配線方向と交差する方向に位置がずれており、隣接する他の配線受けとの間でそれぞれ相手方の配線受けに向かって突片を延出させた場合に、各々の突片が対応する配線受けの側端部近傍の下面に厚み方向に重合するように構成されたことを特徴とする配線受け。
【発明の詳細な説明】
【技術分野】
【０００１】
本発明は、オフィス等において好適に利用されるデスク及び配線受けに関するものである。
【背景技術】
【０００２】
オフィス等に配置するデスクとして、天板の下肢空間に配線受けを取り付ける機能を備えたものは、従来より種々に考えられている。
【０００３】
例えば、特許文献１、２に示されるものは、幕板の内面に天板幅方向に沿って配線受けの取付部を設け、この取付部に引っ掛けるようにして、任意の位置に配線受けを取り付けることができるように構成されており、かつ配線受けは、取付部に引っ掛けたままで天板幅方向に沿ってスライド移動させることができるようにされている。
【０００４】
特に、特許文献２のものは、配線受けの側端部に突片を設け、左右の配線受けの突片同士をビスにより連結することで、配線受け同士を接続して、配線支持面を拡張する機能も備わっている。
【先行技術文献】
【特許文献】
【０００５】
【特許文献１】特許第４４８０８６１号公報
【特許文献２】特許第４３９３３７３号公報
【発明の概要】
【発明が解決しようとする課題】
【０００６】
しかしながら、このように配線受けが取付部に簡単に引っ掛けられる構造、取付部に沿って簡単にスライドできる構造であると、配線が引っ張られたり足が当たったりすることで配線受けが取付部から簡単に脱落するおそれがあり、一旦調節した配線受けの位置も移動し易く、その結果、配線が外れ易くなるだけでなく、バッテリやタップ等も落下し易い状態になり易いという難点がある。また、特許文献２のように配線受け同士をその都度ビスで連結し又は連結を解除する作業は手間であり、簡単且つ確実に配線受け同士を連続または分離させ、かつ各々の状態を維持できるものであることが望ましい。
【０００７】
本発明は、このような新たな機能を備えたデスク及び配線受けを提供することを目的としている。
【課題を解決するための手段】
【０００８】
本発明は、かかる目的を達成するために、次のような手段を講じたものである。
【００１０】
すなわち、本発明のデスクは、デスク本体に所定の配線方向に沿って配線を導く配線受けを配置するようにしたものにおいて、前記配線方向に沿ってデスク本体に配線受け取付部を延在させ、対する配線受けに、一部を弾性変形させた際の反発力を押付力として前記配線受け取付部に嵌り合う嵌合部と、前記一部を前記弾性変形方向に変形させて前記押付力を解除する解除レバーとを設け、前記配線受けを前記配線方向に沿って前記配線受け取付部に位置自在に取り付け可能にし、前記解除レバーで押付力を緩めた状態で、前記配線受け取付部に対する嵌合状態を維持したまま、前記配線方向に沿って前記配線受けをスライドさせる操作を行い得るようにするとともに、前記解除レバーで押付力を解除した状態で前記嵌合部を前記配線受け取付部から離脱させる操作を行い得るようにしたことを特徴とする。
【００１１】
このように、本発明は配線受けを配線受け取付部に単に引っ掛けるだけではなく、弾性押付力の下に配線受け取付部に嵌合させて取り付けるようにしているので、配線受けのグラつきや、うっかり配線受けが外れるといった事態を有効に防止することができ、配線受け取付部に対する配線受けの着脱操作も簡単に行うことが可能になる。
【００１２】
また、解除レバーで押付力を緩めた状態で、配線受け取付部に対する嵌合状態を維持したまま、配線方向に沿って配線受けをスライドさせる操作を行い得るようにしていることから、解除レバーに対する操作の仕方次第で、配線受けを配線受け取付部に沿ってガイドさせながら容易に位置変更することができ、変更後の位置においても操作レバーに対する操作を終了するだけで再び配線受けを確実に保持することが可能になる。
【００１３】
また本発明のデスクは、デスク本体に所定の配線方向に沿って配線を導く配線受けを配置するようにしたものにおいて、前記配線方向に沿ってデスク本体に配線受け取付部を延在させ、対する配線受けに、一部を弾性変形させた際の反発力を押付力として前記配線受け取付部に嵌り合う嵌合部と、前記一部を前記弾性変形方向に変形させて前記押付力を解除する解除レバーとを設け、前記配線受けを前記配線方向に沿って前記配線受け取付部に位置自在に取り付け可能にするとともに、前記解除レバーで押付力を解除した状態で前記嵌合部を前記配線受け取付部から離脱させる操作を行い得るようにし、このような解除レバーを、前記配線方向に沿って前記配線受けの２箇所に設けていることを特徴とする。
このように、本発明は配線受けを配線受け取付部に単に引っ掛けるだけではなく、弾性押付力の下に配線受け取付部に嵌合させて取り付けるようにしているので、配線受けのグラつきや、うっかり配線受けが外れるといった事態を有効に防止することができ、配線受け取付部に対する配線受けの着脱操作も簡単に行うことが可能になる。また、配線方向に沿って配線受けの２箇所に解除レバーを設けていることから、配線受けをある程度幅広に構成しても、解除レバーを２箇所で摘んで配線受けの安定した操作を行うことができる。
【００１４】
また本発明のデスクは、デスク本体に所定の配線方向に沿って配線を導く配線受けを配置するようにしたものにおいて、前記配線方向に沿ってデスク本体に配線受け取付部を延在させ、対する配線受けに、一部を弾性変形させた際の反発力を押付力として前記配線受け取付部に嵌り合う嵌合部と、前記一部を前記弾性変形方向に変形させて前記押付力を解除する解除レバーとを設け、前記配線受けを前記配線方向に沿って前記配線受け取付部に位置自在に取り付け可能にするとともに、前記解除レバーで押付力を解除した状態で前記嵌合部を前記配線受け取付部から離脱させる操作を行い得るようにし、前記配線受けに、前記嵌合部が前記配線受け取付部に嵌合した状態で当該嵌合部を下支えし且つ一部を幕板の立壁に当接させるリブを設けていることを特徴とする。
このように、本発明は配線受けを配線受け取付部に単に引っ掛けるだけではなく、弾性押付力の下に配線受け取付部に嵌合させて取り付けるようにしているので、配線受けのグラつきや、うっかり配線受けが外れるといった事態を有効に防止することができ、配線受け取付部に対する配線受けの着脱操作も簡単に行うことが可能になる。また、配線受けに、前記嵌合部が配線受け取付部に嵌合した状態で当該嵌合部を下支えし且つ一部を幕板の立壁に当接させるリブを設けていることから、配線受けが配線受け取付部に片持ち的に取り付けられ、取付構造が簡単な場合であっても、配線受けの支持強度を有効に高め、荷重を幕板に確実に支持させることができる。
【００１５】
さらに本発明のデスクは、デスク本体に所定の配線方向に沿って配線を導く配線受けを配置するようにしたものにおいて、前記配線方向に沿ってデスク本体に配線受け取付部を延在させ、対する配線受けに、一部を弾性変形させた際の反発力を押付力として前記配線受け取付部の一部に下から上に向けて嵌り合う下向き凸状の嵌合部と、この下向き凸状の嵌合部の一部若しくは近傍から垂下し、前記一部を前記弾性変形方向に変形させて前記押付力を解除する解除レバーとを設け、前記配線受けを前記配線方向に沿って前記配線受け取付部に位置自在に取り付け可能にするとともに、前記解除レバーで押付力を解除した状態で前記下向き凸状の嵌合部を前記配線受け取付部から離脱させる操作を行い得るようにしたことを特徴とする。
このように、本発明は配線受けを配線受け取付部に単に引っ掛けるだけではなく、弾性押付力の下に配線受け取付部に嵌合させて取り付けるようにしているので、配線受けのグラつきや、うっかり配線受けが外れるといった事態を有効に防止することができ、配線受け取付部に対する配線受けの着脱操作も簡単に行うことが可能になる。また、配線受けが下向き凸状の嵌合部を具備し、この下向き凸状の嵌合部が下から上に向けて配線受け取付部の一部に嵌り合うものであり、操作レバーがこの下向き凸状の嵌合部の一部若しくは近傍から垂下していることから、下向き凸状の嵌合部を指掛かりにして操作レバーを平易に操作することができるようになる。
【００１６】
配線受けの着脱容易性と確実な取付状態とを好適に両立させるための好ましい実施の一態様としては、嵌合部が、配線方向と直交する方向に沿って配線受けを配線受け取付部に近づけた際に一時的に弾性変形し配線受け取付部に嵌り合った位置で復元する可動片と、この可動片の一部に設けられて嵌合部の嵌合位置で配線受け取付部内に設定した係止部に係合する爪とを有するものであり、この爪は前記嵌合部を配線受け取付部から引き抜く方向の力が作用した際に前記配線受け取付部の係止部により強く係合し、解除レバーを操作することによって前記可動片を通じて前記係止部から退避するように構成されているものが挙げられる。
【００１７】
コスト増とならずに配線受けの大きさを的確に変更できるようにするためには、配線受けを、天板の配線方向寸法の１／２よりも小さい長さ寸法のものにして、他の配線受けとの間で側端部同士が突き当たった拡張状態をとり得るようにしていることが好適である。
【００１８】
特に、配線支持面の連続性を適切に担保するためには、配線受けの少なくとも一側端部から配線支持面に対して段落ちした突片を配線方向に延出させて設け、この突片を、隣接する配線受けの配線支持面の下面に厚み方向に重合させるようにしていることが好ましい。
【００１９】
更に、上載荷重に対する強度を高めるためには、配線受けの両側端部に突片を有し、それらの突片は配線方向と交差する方向に位置がずれており、一対の配線受けの隣接する側端部からそれぞれ相手方の配線受けに向かって突片が延出し、各々の突片が対応する配線受けの側端部近傍の下面に厚み方向に重合するようにしていることが望ましい。
【００２０】
また、配線受け自体として見た場合、配線支持面の両側端部より当該配線支持面に対して段落ちした突片を配線方向に延出させて設け、それらの突片は配線方向と交差する方向に位置がずれており、隣接する他の配線受けとの間でそれぞれ相手方の配線受けに向かって突片を延出させた場合に、各々の突片が対応する配線受けの側端部近傍の下面に厚み方向に重合するように配線受けを構成しても、拡張時に天板支持面の面一状態と、拡張した状態での安定性とを確保することができる。
【発明の効果】
【００２１】
本発明は、以上説明した構成であるから、配線が引っ張られたり足が当たったりしても配線受けが取付部から簡単に脱落するおそれがなく、一旦調節した配線受けの位置を的確に維持して、配線を外れにくくし、バッテリやタップ等の不意の落下も適切に防止できるようにした、新規有用なデスクを提供することができる。
【図面の簡単な説明】
【００２２】
【図１】本発明の一実施形態に係るデスクの後部上方斜視図。
【図２】同デスクを配線空間を露出させた状態で示す図１に対応した後部上方斜視図。
【図３】同デスクを構成する幕板の斜視図。
【図４】図２におけるＩＶ−ＩＶ線断面図。
【図５】同デスクで用いる配線受けの後部上方斜視図。
【図６】図５におけるＶＩ−ＶＩ線断面図。
【図７】同配線受けの前部下方斜視図。
【図８】同デスクにおいて形成される配線ダクトの形態を示す部分断面図。
【図９】同デスクにおいて配線受けの取付状態を示す一部省略した後部上方斜視図。
【図１０】同デスクを背合わせに突き合わせた際に形成される配線ダクトの形態を示す部分断面図。
【発明を実施するための形態】
【００２３】
以下、本発明の一実施形態を、図面を参照して説明する。
【００２４】
この実施形態のデスクは、図１及び図２に示すように幕板１が上下位置に付け替え可能なものであって、左右の脚体２、２の上端部間に天板３を架設し、左右の脚体２、２の間を当該幕板１で連結することによってデスク本体Ｄを構成して、天板３の反使用端３ａと幕板１との間に配線空間Ｓを形成するようにしたものである。そして、前記配線空間Ｓ内に所定の配線方向である天板幅方向（図２における矢印Ｘ方向）に沿って配線を導く配線受け４を必要な箇所に配置し、配線空間Ｓの上方を配線カバー５によって閉止し得るようにしている。
【００２５】
具体的に説明すると、脚体２は、中空体状をなす脚側板２１の下端部と上端部からそれぞれベース２２とステー２３を前方に向けて延出させたもので、脚側板２１の対向面には幕板上取付部２４と幕板下取付部２５が設けてある。この実施形態の幕板上取付部２４および幕板下取付部２５は、図９にも示すように、それぞれ脚側板２１の内面に開口する上下複数の幕板取付部２４ａ、２４ｂ（２５ａ、２５ｂ）から構成されている。幕板取付部２４ａ、２５ａが対をなして幕板１を上方位置に取り付け、幕板取付部２４ｂ、２５ｂが対をなして幕板１を下方位置に取り付ける。
【００２６】
幕板１は、図１〜図３に示すように、板金素材を塑性変形加工することによって、立壁１０の上縁、下縁および左右の側縁にそれぞれ折り曲げ補強部１１、１２、１３、１３を形成したもので、左右の幅寸法ｄは図１に示す左右の脚側板２１、２１の内面間の距離Ｌに対応しており、図３に示す幕板１の左右の側縁に近い部位には、前記幕板取付部２４ａ、２４ｂ（２５ａ、２５ｂ）と対になって幕板１を取り付けるための上取付窓１４および下取付窓１５が開口している。そして、幕板１を図１に示す上方位置または図２に示す下方位置の何れかに配置し、これに伴い幕板１の上取付窓１４が脚側板２１の幕板上取付部２４ａ、２４ｂの何れかに対応する部位に位置づけられ、幕板１の下取付窓１５が脚側板２１の幕板下取付部２５ａ、２５ｂの何れかに対応する部位に位置づけられた状態で、上取付具１６を用いて上取付窓１４と幕板上取付部２４ａ（２４ｂ）の間を連結し、下取付具１７を用いて下取付窓１５と幕板下取付部２５ａ（２５ｂ）の間を連結することによって、幕板１を上方位置または下方位置に付け替え可能としている。図示例では、脚側板２１の内面に幕板取付部２４ａ、２４ｂ、２５ａ、２５ｂとして矩形状の取付孔を開口させ、幕板１の左右の側縁に設けた折曲げ補強部１３のうち脚側板２１の内面に重合する位置に矩形状の上取付窓１４および下取付窓１５を開口させて、取付具１６、１７に、取付窓１４、１５と取付孔２４ａ（２４ｂ）、２５ａ（２５ｂ）とが重合した状態でこれらに弾性的に嵌め込まれる樹脂ファスナを採用したものを例示しているが、勿論これ以外にも、例えば幕板１の下折曲げ補強部１２に下取付窓を開口させ、この下取付窓と幕板下取付部２５ａ、２５ｂとの間をバックル式の取付具によって連結するなど、連結構造には種々のものを採用することができる。取付部や取付窓の形状も矩形に限らない。
【００２７】
一方、デスク本体Ｄを構成する幕板１の内面には、図３に示すように所定の配線方向である天板幅方向（Ｘ方向）に沿って上下方向に異なる位置に配線受け取付部６Ａ、６Ｂを延在させ、これらの配線受け取付部６、７に、図９に示す配線受け４を着脱可能に取り付け得るようにしている。
【００２８】
配線受け取付部６Ａは、図３及び図４に示すように、上折曲げ補強部１１を利用して構成されているもので、立壁１０から前方に延びる水平片６１と、その水平片６１の先端より連続する垂下片６２と、その垂下片６２の下端から立壁１０に向かう方向に延びる底片６３と、その底片６３の先端から立ち上がる起立片６４とからなり、垂下片６２と底片６３と起立片６４とによって下向き突条６ｍを形成し、立壁１０と水平片６１と起立片６４との間に下向き溝６ｎを形成している。また、配線受け取付部６Ｂは、立壁１０に取り付けた補強部材６ｘを利用して構成されているもので、前記配線受け取付部６Ａと同様に水平片６１、垂下片６２、底片６３および起立片６４を有し、下向き突条６ｍ、下向き溝６ｎを形成している。この補強部材６ｘの場合、水平片６１の基端から上方に向けて取付片６５が延びており、この取付片６５が幕板１の立壁１０に溶接等により取り付けられている。起立片６４は垂下片６２よりも上下寸法が短く、起立片６４と水平片６１の間には図４に示すように所定の隙間δが開口している。
【００２９】
一方、配線受け４は、図５及び図６に示すように樹脂一体成型されたもので、取付状態で水平に配置される配線支持面４１と、この配線支持面４１の先端から部分的に高さを異ならせて起立する起立片４２とをＬ型に連設するとともに、この配線支持面６１の基端側に、垂下片４３ａ、底片４３ｂ及び起立片４３ｃから構成されて配線方向（Ｘ方向）に沿って連続する溝状の形態をなす上向き凹状嵌合部（下向き凸状嵌合部）４ｍと、この上向き凹状嵌合部４ｍから更に基端側に隣接する位置において前記起立片４３ｃ、頂片４３ｄ、垂下片４３ｅから構成されて配線方向（Ｘ方向）に沿って連続する突条の形態をなす上向き凸状嵌合部（下向き凹状嵌合部）４ｎとを一体に設けている。そして、この配線受け４を上下何れかの配線受け取付部６Ａ、６Ｂに対して配線方向と直交する方向、すなわちこの実施形態では図６に矢印で示すように下から上に向かって移動させることによって、前記配線受け４の上向き凸状嵌合部４ｎを前記配線受け取付部６Ａ、６Ｂの下向き溝６ｎに嵌め合わせ、前記配線受け４の上向き凹状嵌合部４ｍを前記配線受け取付部６Ａ、６Ｂの下向き突条６ｍに嵌め合わせ得るようにしている。
【００３０】
この際、上向き凸状嵌合部４ｎと上向き凹状嵌合部４ｍとの境界に位置する起立片４３ｃから上向き凸状嵌合部４ｎの頂片４３ｄに亘る領域の一部に図５〜図７に示すように一対の縦スリット４４、４４を設けて、スリット４４、４４間に位置する起立片４３ｃを厚み方向（前後方向）に変位可能な可動片４５とし、かつこの可動片４５の基端部を樹脂ヒンジ４５ａとして、この樹脂ヒンジ４５ａの変形とともに可動片４５を図４に想像線で示すように厚み方向に回動するようにして弾性変形可能としており、更にこの可動片４５を下方に延出させて本発明の解除レバー４６を構成している。底片４３ｂには解除レバー４６との干渉を避ける逃げ４３ｂ１が設けてある。このような解除レバー４６は、図５に示すように配線受け４の左右２箇所に設けられている。また、前記スリット４４、４４間に位置する可動片４５のうち上向き凹状嵌合部４ｍに臨む面には、図５〜図７に示すように凹状嵌合部４ｍの中央に向かって突出する山形の爪４ｘが設けてあり、嵌合動作の始めにこの爪４ｘが配線受け取付部６Ａ、６Ｂの起立片６４と干渉して図４に想像線で示すように可動片４５が一時的に垂下片４３ｅ側に押し込まれる方向に弾性変形し、所定の嵌合位置で可動片４５が復元した際に図６に想像線で示すように配線受け取付部６Ａ、６Ｂの起立片６４と水平片６１との隙間δに爪４ｘが入り込んで、起立片６４の上端に設定した係止部６ｘに係合し、そのとき樹脂ヒンジ４５ａに残った弾性反発力が押付力となって嵌合部４ｍ、４ｎを配線受け取付部６Ａ、６Ｂの突条６ｍや下向き溝６ｎの内面に押し付けた状態で嵌り合うようになっている。この爪４ｘは、解除レバー４６を再び図４に想像線で示すように垂下片４３ｅ側に倒すことによって前記隙間δから退避させ、係止部６ｘとの係合を解除することができる。この配線受け４の図６に想像線で示す嵌合位置で上載荷重や外力によって下方への力が作用すると、爪４ｘを介して可動片４５が解除レバー４６とともに解除方向と逆方向、すなわち係止部６ｘとの係合がより深くなる方向に押し付けられる作用を営み、いわゆる奥ヒンジを構成している。配線受け４には、図４、図５及び図７に示すように、前記嵌合部４ｍ、４ｎを下支えし且つ当該配線受け部４が配線受け取付部６Ａ、６Ｂに嵌合した状態で一部を幕板１の立壁１０に当接させる位置に三角形状のリブ４０が設けてある。
【００３１】
すなわち、このデスクは、図１および図２に示したように幕板１が左右の脚体２、２の上下複数個所に設定した幕板取付部（２４ａ、２５ａ）と（２４ｂ、２５ｂ）との間で付け替え可能であるとともに、図３および図４に示すようにこの幕板１の高さ方向複数個所に設定した配線受け取付部６Ａ、６Ｂの間で前記配線受け４を付け替え可能なものであり、その付け替えは天板幅方向（Ｘ方向）の異なる位置において各々の配線受け４、４、…ごとに独立して行うことが可能とされている。その際、幕板取付部２４ａ、２４ｂ間のピッチＰ１（２５ａ、２５ｂ間のピッチＰ１）と前記配線受け取付部６Ａ、６Ｂ間のピッチＰ２とは同一ピッチに設定してあり、その配線受け取付部６Ａ、６Ｂ間のピッチＰ２は、天板幅方向（Ｘ方向）の同じ位置若しくは重複する位置において図４に示すように上下に配線受け４、４を重ねて配置できるように、干渉部位である配線受け４の起立片４２の高さ寸法ｈ以上となるように設定されている。
【００３２】
この実施形態の場合、幕板１に対する配線受け４の第１の取付位置（図８（ｂ））では、配線受け４の起立片４２の上端４２ａと幕板１の上縁１１とが略同じ高さとなる位置に設定され、第２の取付位置（図８（ａ））では、配線支持面４１と幕板１の上縁１１とが略同じ高さとなる位置に設定されている。
【００３３】
さらに、この配線受け４は、図９に示すように天板３の配線方向寸法Ｗの１／２よりも小さい長さ寸法のもの（更に言えば、天板３の配線方向寸法Ｗの１／４よりも小さい長さ寸法のもの）であり、配線受け４を配線方向（Ｘ方向）に沿って同図に示すように複数配列した状態で配線受け取付部６Ａ、６Ｂに取り付けることができるのは勿論のこと、同図右側に示すように配線受け４，４同士を、側端部４１ｍ、４１ｎ同士が突き当たった状態で連続する拡張状態をもとり得るようにしている。そのために、図５〜図７、図９に示すように、配線受け４の両側端部４１ｍ、４１ｎから配線支持面４１に対して段落ちした突片４０ｍ、４０ｎを配線方向外側に向けて延出させて設けている。左右の突片４０ｍ、４０ｎは、配線方向と交差する方向である前後方向（図５における矢印Ｙ方向）に位置をずらしてあり、図９に示すように配線受け４、４同士を隣接させることによって一対の配線受け４の隣接する側端部４１ｍ（４１ｎ）からそれぞれ相手方の配線受け４に向かって突片４０ｍ（４０ｎ）が延出し、これが対応する配線受け４の側端部４１ｎ（４１ｍ）近傍の下面に潜り込んで厚み方向に重合するようにしている。
【００３４】
なお、図１及び図２に基づいて前述したように、上記配線空間Ｓの上方は配線カバー５によって閉止されるようにしている。そのために、左右の脚体２、２の後端部は天板３の反使用端３ａよりも若干後方に延出した状態にあるように構成されていて、この位置に図９に示すようにカバー取付部７ａ、７ａを設け、天板幅方向（Ｘ方向）の中央部にもカバー取付部７ｂを設けて、隣接するカバー取付部７ａ、７ｂの対向面に軸受け部７０を構成し、この軸受け部７０に図１に示す配線カバー５を着脱可能かつ回動動作によって配線空間Ｓを上方に向かって開閉可能な状態で支持させるようにしている。また、図４及び図８等に示すように、幕板１の後面は、前後方向に沿って天板３の反使用端３ａよりも後方位置に配置される。
【００３５】
次に、この実施形態における配線受けの利用の形態について説明する。
【００３６】
この配線受け４は、図６等に基づいて前述したように、下から上に向かって配線方向（Ｘ方向）と直交する方向から配線受け取付部６Ａ、６Ｂに近づけた際に、一時的に可動片４５が弾性変形した後に復元して爪４ｘが配線受け取付部６Ａ、６Ｂの係止部６ｘに係止されて、嵌合部４ｍ、４ｎが配線受け取付部６Ａ、６Ｂの下向き突条６ｍおよび下向き溝６ｎに嵌り合う。この状態では、当該嵌合部４ｍ、４ｎを配線受け取付部６Ａ、６Ｂの下向き突条６ｍおよび下向き溝６ｎから引き抜く方向の力が作用した際に配線受け取付部６Ａ、６Ｂにより強く当接する爪４ｘを可動片４５に設けているため、上載荷重その他の外力が下向きに作用しても配線受け４が外れることはない。一方、解除レバー４６を操作して押付力を解除し、配線受け４を図６の矢印と逆方向に移動させると、前記嵌め合いが解除されて、配線受け４を配線受け取付部６Ａ、６Ｂから離脱させることができる。さらに、解除レバー４６で押付力を緩めた図４に想像線で示す状態にあっても、配線受け４の嵌合部４ｍ、４ｎと配線受け取付部６Ａ、６Ｂの下向き突条６ｍおよび下向き溝６ｎとの嵌合状態は維持されるため、配線方向（Ｘ方向）に沿って図９に矢印Ｔで示すように配線受け４をスライドさせる操作を行うことができる。
【００３７】
一方、配線ダクトの形態としては、幕板１に対する配線受け４の第１の取付位置（図８（ｂ））で幕板１と配線受け４の間に上方に開口するコ字状の配線ダクトＳ１を形成し、第２の取付位置（図８（ａ））で配線受け４によって上方及び後方に開放されたＬ字状の配線ダクトＳ２を形成することができる。したがって、これらの配線ダクトＳ１、Ｓ２に天板幅方向（Ｘ方向）に沿って配線を引き回し、必要な箇所で配線受け４の起立片４２に配線を巻き付け、さらに必要な箇所から天板３上に配線を立ち上げ、或いは床に向かって配線を落とし込み、更には図８（ａ）の場合には配線カバー５を閉止した状態でも後方に向かって配線を引き出すことができる。
【００３８】
さらに、このような構造を利用すれば、２台のデスクを背合わせに配置したときに、幕板１に対する配線受け４の第１の取付位置で図１０（ｂ）に示すように一対の天板３、３間に幕板１を中間仕切りとして上方に開口するＥ字形状の配線ダクトＳ３が形成されて、各々のデスクで配線ダクトＳ３を使い分けたり、電力線と通信線とを使い分けたりする態様が可能になり、また、幕板１に対する配線受け４の第２の取付位置で図１０（ａ）に示すように一対の天板３、３間に上方に開口するコ字形状の大型配線ダクトＳ４が形成されて、対面配置されたデスク間での縦配線や共用配線の収納が容易になるほか、定電圧電源等の比較的大きな給電機器やハブ、ルータ等の比較的大きな通信機器も収容することが可能になる。
【００３９】
以上のように、本実施形態のデスクは、デスク本体Ｄに所定の配線方向（Ｘ方向）に沿って配線を導く配線受け４を配置するようにしたものであり、前記所定の配線方向（Ｘ方向）に沿ってデスク本体Ｄに配線受け取付部６Ａ、６Ｂを延在させ、対する配線受け４に、一部を弾性変形させた際の反発力を押付力として前記配線受け取付部６Ａ、６Ｂに嵌り合う嵌合部４ｍ、４ｎと、前記一部を前記弾性変形方向に変形させて押付力を解除する解除レバー４６とを設けたものである。そして、配線受け４を配線方向（Ｘ方向）に沿って前記配線受け取付部６Ａ、６Ｂに位置自在に取り付け可能にするとともに、解除レバー４６で押付力を解除した状態で嵌合部４ｍ、４ｎを配線受け取付部６Ａ、６Ｂから離脱させる操作を行い得るようにしている。
【００４０】
このように、配線受け４を配線受け取付部６Ａ、６Ｂに単に引っ掛けるだけではなく、弾性押付力の下に配線受け取付部６Ａ、６Ｂに嵌合させて取り付けるようにしているので、配線受け４のグラつきや、うっかり配線受けが外れるといった事態を有効に防止して、取付状態を安定、確実ならしめることができ、配線受け取付部に対する配線受け４の着脱操作も極めて簡単に行うことが可能になる。
【００４１】
加えて、解除レバー４６で押付力を緩めた状態で、配線受け取付部６Ａ、６Ｂに対する嵌合状態を維持したまま、配線方向（Ｘ方向）に沿って配線受け４をスライドさせる操作を行い得るようにしているので、解除レバー４６に対する操作の仕方次第で、配線受け４を配線受け取付部６Ａ、６Ｂに沿ってガイドさせながら容易に位置変更することができ、変更後の位置においても操作レバー４６に対する操作を終了するだけで再び配線受け４を確実に保持することが可能になる。
【００４２】
そして、嵌合部４ｍ、４ｎが、配線方向（Ｘ方向）と直交する方向に沿って配線受け４を配線受け取付部６Ａ、６Ｂに近づけた際に一時的に弾性変形し配線受け取付部６Ａ、６Ｂに嵌り合った位置で復元する可動片４５と、この可動片４５の一部に設けられて嵌合部４ｍ、４ｎの嵌合位置で配線受け取付部６Ａ、６Ｂ内に設定した係止部６ｘに係合する爪４ｘとを有するものであり、この爪４ｘは前記嵌合部４ｍ、４ｎを配線受け取付部６Ａ、６Ｂから引き抜く方向の力が作用した際に前記配線受け取付部６Ａ、６Ｂの係止部６ｘにより強く係合し、解除レバー４６を操作することによって前記可動片４５を通じて前記係止部６ｘから退避するように構成しているので、着脱容易であっても、上載荷重や外力によって配線受け４が外れにくい構造を有効に実現することができる。
【００４３】
その解除レバー４６も、配線方向（Ｘ方向）に沿って配線受け４の２箇所に設けてあるので、配線受け４をある程度幅広に構成しても、解除レバー４６を２箇所で摘んで安定した操作を行うことができる。
【００４４】
また、配線受け４に、前記嵌合部４ｍ、４ｎが配線受け取付部６Ａ、６Ｂに嵌合した状態で当該嵌合部４ｍ、４ｎを下支えし且つ一部を幕板１の立壁１０に当接させるリブ４０を有しているので、本実施形態のように配線受け４が配線受け取付部６Ａ、６Ｂに片持ち的に取り付けられていても、荷重を幕板１に確実に支持させることができる。
【００４５】
具体的には、配線受け４が下向き凸状嵌合部４ｍを具備し、この下向き凸状嵌合部４ｍが下から上に向けて配線受け取付部６Ａ、６Ｂの一部に嵌り合うものであり、操作レバー４６がこの下向き凸状嵌合部４ｍの一部から垂下した状態に設けられているので、下向き凸状嵌合部を指掛かりにして操作レバー４６を平易に操作することができるようになる。
【００４６】
さらに、配線受け４が、天板の配線方向寸法の１／２よりも小さい長さ寸法のものであり、配線受け４、４同士を、側端部４１ｍ、４１ｎ同士が突き当たった拡張状態をとり得るようにしているので、必要に応じて複数の配線受け４を適切な長さに連ねて用いることができ、しかも比較的大きな配線受け４を樹脂成型で作る場合に比べて大型の金型を不要にすることができる。しかも、配線受け４には嵌合位置で弾性による保持力が働くため、連ねた状態を無理なく確実に維持することが可能となる。
【００４７】
その際、配線受け４の側端部４１ｍ（４１ｎ）から配線支持面４１に対して段落ちした突片４０ｍ（４０ｎ）を配線方向に延出させて設け、この突片４０ｍ、４０ｎを、隣接する配線受け４の配線支持面４１の下面に厚み方向に重合させるようにしているので、配線支持面４１の連続性を適切に担保することができる。しかも、前述したように配線受け４は嵌合位置で弾性により保持力が働くため、重なり合った部分を逐一ねじ等で固定することも不要にすることができる。
【００４８】
とりわけ、この実施形態では突片４０ｍ、４０ｎを配線受け４の両側端部４１ｍ、４１ｎに有し、それらの突片４０ｍ、４０ｎは配線方向と交差する方向に位置がずれており、一対の配線受け４の隣接する側端部４１ｍ（４１ｎ）からそれぞれ相手方の配線受け４に向かって突片４０ｍ、４０ｎが延出し、各々の突片４０ｍ、４０ｎが対応する配線受け４の側端部４１ｎ（４１ｍ）近傍の下面に厚み方向に重合するようにしているので、隣接する配線受け４の何れかに偏った上載荷重が作用しても、その荷重が突片４０ｍ、４０ｎを介して隣接する配線受け４に分散され、全体としての支持強度を有効に高めることができる。
【００４９】
なお、各部の具体的な構成は、上述した実施形態のみに限定されるものではない。
【００５０】
例えば、幕板や配線受けの付け替えは上下方向の３箇所以上とすることができ、また、配線受けの変更ピッチと幕板の変更ピッチとは、一方が他方の整数倍の値となるようにしても構わない。
【００５１】
その他の構成も、本発明の趣旨を逸脱しない範囲で種々変形が可能である。
【符号の説明】
【００５２】
１…幕板
３…天板
４…配線受け
４ｍ…嵌合部（下向き凸状嵌合部）
４ｎ…嵌合部（下向き凹状嵌合部）
４ｘ…爪
６Ａ、６Ｂ…配線受け取付部
６ｘ…係止部
１０…立壁
４０…リブ
４０ｍ、４０ｎ…突片
４１…配線支持面
４１ｍ、４１ｎ…側端部
４５…可動片
４６…解除レバー
Ｄ…デスク本体
Ｘ…配線方向（天板幅方向）
【図１】
0005816897.tif 000002
【図２】
0005816897.tif 000003
【図３】
0005816897.tif 000004
【図４】
0005816897.tif 000005
【図５】
0005816897.tif 000006
【図６】
0005816897.tif 000007
【図７】
0005816897.tif 000008
【図８】
0005816897.tif 000009
【図９】
0005816897.tif 000010
【図１０】
0005816897.tif 000011